(57)【特許請求の範囲】
【請求項１】
光源と、
第１の所定方向に延在している第１の導光体及び第２の導光体であって、光を該第１の所定方向に向かって導くと共に、原稿に対して該光を照射する第１の導光体及び第２の導光体と、
前記光源が放射した光を閉じ込める閉じ込め部であって、前記第１の導光体の一端及び前記第２の導光体の一端が接続されている閉じ込め部と、
を備えており、
前記閉じ込め部内に閉じ込められた光は、該閉じ込め部内に設けられている第１の反射面において一部が反射されると共に、第２の反射面において残余の光が反射されることによって、前記第１の導光体内及び前記第２の導光体内を前記第１の所定方向に向かって進行すること、
を特徴とする光源装置。
【請求項２】
前記光源が放射した光は、前記閉じ込め部内において前記第１の所定方向に直交する第２の所定方向に向かって進行し、
前記光源、前記第１の導光体及び前記第２の導光体は、前記第２の所定方向に向かってこの順に並んでいること、
を特徴とする請求項１に記載の光源装置。
【請求項３】
前記閉じ込め部は、内周面において光を反射することによって、該光を閉じ込める筐体であり、
前記第１の導光体の一端には、前記光源と対向している第１の入射面であって、前記閉じ込め部内に閉じ込められた光が該第１の導光体内に入射する第１の入射面、及び、前記第２の所定方向に対して傾斜している前記第１の反射面であって、該第１の入射面から入射した光の一部を前記第１の所定方向に向かって反射すると共に、該第１の入射面から入射した光の残余の光を透過する前記第１の反射面が設けられており、
前記第２の導光体の一端には、前記光源と対向している第２の入射面であって、前記第１の反射面を透過した光が該第２の導光体内に入射する第２の入射面、及び、前記第２の所定方向に対して傾斜している前記第２の反射面であって、該第２の入射面から入射した光を前記第１の所定方向に向かって反射する前記第２の反射面が設けられていること、
を特徴とする請求項２に記載の光源装置。
【請求項４】
前記第１の反射面は、前記第１の入射面に対して０度より大きく４５度以下の角度をなしていること、
を特徴とする請求項３に記載の光源装置。
【請求項５】
前記閉じ込め部材は、前記光源が放射した光が入射する入射面、前記第１の導光体の一端に対して光を出射する第１の出射面、及び、前記第２の導光体の一端に対して光を出射する第２の出射面を有している樹脂部材であり、
前記閉じ込め部材には、前記第１の反射面及び前記第２の反射面が設けられていること、
を特徴とする請求項２に記載の光源装置。
【請求項６】
前記閉じ込め部は、内周面において光を反射することによって、該光を閉じ込める筐体であり、
前記第１の導光体の一端には、前記光源と対向している第１の入射面であって、前記閉じ込め部内に閉じ込められた光が該第１の導光体内に入射する第１の入射面、及び、前記第２の所定方向に対して傾斜している前記第１の反射面であって、該第１の入射面から入射した光を前記第１の所定方向に向かって反射する前記第１の反射面が設けられており、
前記第２の導光体の一端には、前記光源と対向している第２の入射面であって、前記閉じ込め部内に閉じ込められた光が該第２の導光体内に入射する第２の入射面、及び、前記第２の所定方向に対して傾斜している前記第２の反射面であって、該第２の入射面から入射した光を前記第１の所定方向に向かって反射する前記第２の反射面が設けられていること、
を特徴とする請求項２に記載の光源装置。
【請求項７】
前記第２の所定方向に向かって平面視したときに、前記第２の入射面は、前記第１の入射面からはみ出していること、
を特徴とする請求項６に記載の光源装置。
【発明の詳細な説明】
【技術分野】
【０００１】
本発明は、光源装置に関し、より特定的には、原稿に光を照射する光源装置に関する。
【背景技術】
【０００２】
従来の光源装置としては、例えば、特許文献１に記載の照明装置が知られている。図７は、特許文献１に記載の照明装置５００の構成図である。
【０００３】
特許文献１に記載の照明装置５００は、導光体５０２及び光源５０４により構成されている。導光体５０２は、Ｕ字型をなしている。光源５０４は、導光体５０２の一端に設けられている。光源５０４が放射した光は、Ｕ字型の導光体５０２に沿って導光体５０２の一端から他端に向かって導光されながら、照明装置５００上に設けられている原稿に向かって放射される。これにより、原稿には２方向から光が照射されるようになる。以上のような照明装置５００によれば、１つの光源５０４により２方向から原稿に光が照射されるので、光源５０４の数が少なくて済み、照明装置５００の製造コストが低減される。
【０００４】
ところで、特許文献１に記載の照明装置５００では、１つの光源５０４が放射した光が導光体５０２の一端から入射して導光体５０２内を導光される。そのため、導光体５０２の一端近傍から放射される光の強度及び色度と、導光体５０２の他端近傍から放射される光の強度及び色度との間にずれが生じる。その結果、照明装置５００が用いられた画像読み取り装置では、原稿が読み取って得た画像の色再現性が低下してしまう。
【先行技術文献】
【特許文献】
【０００５】
【特許文献１】特開２００２−１８５７０８号公報
【発明の概要】
【発明が解決しようとする課題】
【０００６】
そこで、本発明の目的は、色再現性に優れた画像を得ることができる光源装置を提供することである。
【課題を解決するための手段】
【０００７】
本発明の一形態に係る光源装置は、光源と、第１の所定方向に延在している第１の導光体及び第２の導光体であって、光を該第１の所定方向に向かって導くと共に、原稿に対して該光を照射する第１の導光体及び第２の導光体と、前記光源が放射した光を閉じ込める閉じ込め部であって、前記第１の導光体の一端及び前記第２の導光体の一端が接続されている閉じ込め部と、を備えており、前記閉じ込め部内に閉じ込められた光は、該閉じ込め部内に設けられている第１の反射面において一部が反射されると共に、第２の反射面において残余の光が反射されることによって、前記第１の導光体内及び前記第２の導光体内を前記第１の所定方向に向かって進行すること、を特徴とする。
【発明の効果】
【０００８】
本発明によれば、色再現性に優れた画像を得ることができる。
【図面の簡単な説明】
【０００９】
【図１】本発明の一実施形態に係る光源装置を備えている画像読み取り装置の構成図である。
【図２】本発明の一実施形態に係る光源装置の構成図である。
【図３】本発明の一実施形態に係る光源装置を部分的に透視した斜視図である。
【図４】入射面及び反射面近傍の拡大図である。
【図５】第１の変形例に係る光源装置の構成図である。
【図６】第２の変形例に係る光源装置の構成図である。
【図７】特許文献１に記載の照明装置の構成図である。
【発明を実施するための形態】
【００１０】
以下に、本発明の一実施形態に係る光源装置を備えた画像読み取り装置について説明する。
【００１１】
（画像読み取り装置の構成）
図１は、本発明の一実施形態に係る光源装置２７ａを備えている画像読み取り装置１０の構成図である。図２は、本発明の一実施形態に係る光源装置２７ａの構成図である。図３は、本発明の一実施形態に係る光源装置２７ａを部分的に透視した斜視図である。以下では、鉛直方向をｚ軸方向と定義し、スライダーユニット１８，２０の移動方向（すなわち、副走査方向）をｘ軸方向と定義する。そして、ｘ軸方向及びｚ軸方向に直交する方向（すなわち、主走査方向）をｙ軸方向と定義する。
【００１２】
画像読み取り装置１０は、図１に示すように、本体１２、原稿カバー１４、プラテンガラス１６、スライダーユニット１８，２０、結像レンズ２２、撮像素子２４、光源装置２７ａ及びミラー２９，３０，３２を備えている。
【００１３】
本体１２は、原稿カバー１４、プラテンガラス１６、スライダーユニット１８，２０、結像レンズ２２、撮像素子２４、光源装置２７ａ及びミラー２９，３０，３２が設けられている直方体状の筐体である。プラテンガラス１６は、本体１２のｚ軸方向の正方向側に設けられている開口に取り付けられている長方形状の透明板である。原稿Ｐは、プラテンガラス１６の上面に、読み取り面をｚ軸方向の負方向側に向けた状態で載置される。
【００１４】
原稿カバー１４は、図１に示すように、原稿Ｐ上に覆いかぶさることにより、原稿Ｐをプラテンガラス１６に密着させる働きをする。
【００１５】
光源装置２７ａは、原稿Ｐに対して光Ｂ３ａ，Ｂ３ｂを２方向から照射し、図２に示すように、導光体２８ａ，２８ｂ、ＬＥＤ４０、基板４２及び筐体（閉じ込め部）４４を備えている。ＬＥＤ４０は、白色光（以下では、光Ｂ１と称す）を放射する半導体素子である。基板４２は、ＬＥＤ４０を駆動するための回路を内蔵している回路基板である。ＬＥＤ４０は、基板４２のｘ軸方向の負方向側の主面に実装されている。
【００１６】
筐体４４は、図３に示すように、ｘ軸方向に長手方向を有する直方体状の中空容器である。筐体４４には、図２に示すように、開口Ｏｐ１が設けられている。開口Ｏｐ１は、ｘ軸方向の正方向側の面に設けられている。開口Ｏｐ１には、ＬＥＤ４０が設けられる。これにより、ＬＥＤ４０が放射した光Ｂ１は、開口Ｏｐ１より筐体４４内に入射し、筐体４４内においてｘ軸方向の負方向側に向かって進行する。
【００１７】
筐体４４の内周面には鏡面加工もしくは白色塗料等の高反射加工が施されている。これにより、筐体４４は、ＬＥＤ４０が放射した光Ｂ１を内周面において反射させて、その内部に閉じ込める。
【００１８】
また、筐体４４には、図２に示すように、開口Ｏｐ２，Ｏｐ３が設けられている。開口Ｏｐ２，Ｏｐ３は、ｙ軸方向の正方向側の面において、ｘ軸方向の正方向側から負方向側へとこの順に並ぶように設けられている。開口Ｏｐ２，Ｏｐ３内にはそれぞれ、後述する導光体２８ａ，２８ｂが挿入される。すなわち、導光体２８ａのｙ軸方向の負方向側の端部及び導光体２８ｂのｙ軸方向の負方向側の端部が筐体４４に接続されている。これにより、筐体４４は、閉じ込めた光Ｂ１を導光体２８ａ，２８ｂに分岐して出力する。
【００１９】
導光体２８ａ，２８ｂは、ｙ軸方向に延在している円柱状をなす透明な樹脂部材であり、ｘ軸方向の負方向側に向かってこの順に並んでいる。
【００２０】
導光体２８ａのｙ軸方向の負方向側の端部は、筐体４４の開口Ｏｐ２に挿入されている。また、導光体２８ａのｙ軸方向の端部には、入射面Ｓ１及び反射面Ｓ２が設けられている。よって、入射面Ｓ１及び反射面Ｓ２は、筐体４４内に設けられている。入射面Ｓ１は、ＬＥＤ４０と対向しており、ｘ軸方向の正方向側を向くｘ軸に垂直な面である。筐体４４内に閉じ込められた光Ｂ１は、入射面Ｓ１を介して、導光体２８ａ内に入射する。以下では、導光体２８ａ内に入射した光を光Ｂ２ａと称す。
【００２１】
反射面Ｓ２は、ｘ軸方向に対して傾斜している面である。反射面Ｓ２は、入射面Ｓ１から入射した光Ｂ２ａの内の一部（以下、光Ｂ３ａ）をｙ軸方向の正方向側に向かって全反射する。また、反射面Ｓ２は、入射面Ｓ１から入射した光Ｂ２ａの内の残余の光（以下、光Ｂ３ｂ）を透過する。以下に、反射面Ｓ２について図面を参照しながらより詳細に説明する。図４は、入射面Ｓ１及び反射面Ｓ２近傍の拡大図である。
【００２２】
反射面Ｓ２は、入射面Ｓ１に対してθ１の角度をなしている。θ１は、ｚ軸の正方向側から見て、ｙ軸の反時計回り方向を正とする。θ１は、例えば、０度より大きく４５度以下に設定される。光Ｂ２ａは、反射面Ｓ２に対して入射する。このとき、臨界角θ０よりも大きい入射角で反射面Ｓ２に入射した光Ｂ２ａは、反射面Ｓ２において全反射されて、光Ｂ３ａとして導光体２８ａ内をｙ軸方向の正方向側に向かって進行する。一方、臨界角θ０以下の入射角で反射面Ｓ２に入射した光Ｂ２ａは、反射面Ｓ２において屈折されて、光Ｂ３ｂとして導光体２８ａ外に出射する。臨界角θ０とは、導光体の屈折率をｎとし、空気の屈折率を１とした場合に、ｓｉｎθ０＝１／ｎで表される。
【００２３】
導光体２８ａは、ｙ軸方向の正方向側に向かって光Ｂ３ａを導くと共に、原稿Ｐに対して光Ｂ３ａを照射する。そのため、導光体２８ａには、その表面にプリズムが設けられている。光Ｂ３ａは、導光体２８ａのプリズム面にて反射され、ｘ軸方向へと向きを変え原稿Ｐを照射し、原稿Ｐの読み取り面において拡散反射される。以下では、原稿Ｐにおいて反射した光を光Ｂ４と呼ぶ。
【００２４】
導光体２８ｂのｙ軸方向の負方向側の端部は、筐体４４の開口Ｏｐ３に挿入されている。また、導光体２８ｂのｙ軸方向の端部には、入射面Ｓ３及び反射面Ｓ４が設けられている。よって、入射面Ｓ３及び反射面Ｓ４は、筐体４４内に設けられている。入射面Ｓ３は、反射面Ｓ２と対向しており、ｘ軸方向の正方向側を向くｘ軸に垂直な面である。反射面Ｓ２を透過した光Ｂ３ｂは、入射面Ｓ３を介して、導光体２８ｂ内に入射する。
【００２５】
反射面Ｓ４は、ｘ軸方向に対して傾斜している面である。反射面Ｓ４は、入射面Ｓ３から入射した光Ｂ３ｂをｙ軸方向の正方向側に向かって全反射する。なお、反射面Ｓ４と筐体４４との間にはわずかな隙間が存在し、空気層が存在する。よって、光Ｂ３ｂは、反射面Ｓ４において全反射される。
【００２６】
導光体２８ｂは、ｙ軸方向の正方向側に向かって光Ｂ３ｂを導くと共に、原稿Ｐに対して光Ｂ３ｂを照射する。そのため、導光体２８ｂには、その表面にプリズムが設けられている。光Ｂ３ｂは、導光体２８ｂのプリズム面にて反射され、ｘ軸方向へと向きを変え原稿Ｐを照射し、原稿Ｐの読み取り面において拡散反射される。以下では、原稿Ｐにおいて反射した光を光Ｂ４と呼ぶ。
【００２７】
ミラー２９は、図１に示すように、原稿Ｐにおいて反射した光Ｂ４をｘ軸方向の負方向側に反射させる。ミラー３０は、ミラー２９からの光Ｂ４をｚ軸方向の負方向側に反射させる。ミラー３２は、ミラー３０からの光Ｂ４をｘ軸方向の正方向側に反射させる。
【００２８】
ここで、光源装置２７ａ及びミラー２９は、図１に示すようにスライダーユニット１８に搭載されている。スライダーユニット１８は、原稿Ｐが読み取られているときには、図１に示すように、プラテンガラス１６の下面に沿って、図示しないモーター、ベルト及びプーリー等の移動手段により、ｘ軸方向の正方向側に向かって速度Ｖで移動させられる。
【００２９】
また、ミラー３０，３２は、図１に示すようにスライダーユニット２０に搭載されている。スライダーユニット２０は、原稿Ｐが読み取られているときには、図１に示すように、プラテンガラス１６の下面の下方において、図示しないモーター、ベルト及びプーリー等の移動手段により、ｘ軸方向の正方向側に向かって速度Ｖ／２で移動させられる。これにより、移動中における原稿Ｐの読み取り面と撮像素子２４との間の光Ｂ４の経路の長さが一定となる。
【００３０】
結像レンズ２２は、光Ｂ４によって得られる光学像を撮像素子２４に結像させる。撮像素子２４は、原稿Ｐで反射した光Ｂ４を受光する受光素子である。具体的には、撮像素子２４は、ｙ軸方向に延びる一次元状の撮像領域を有し、結像レンズ２２によって結像された光学像を走査して原稿Ｐの像を読み取るＣＣＤカメラ等のラインセンサである。
【００３１】
以上のように構成された画像読み取り装置１０において、原稿Ｐが読み取られる場合には、導光体２８ａ，２８ｂによって導光された光Ｂ３ａ，Ｂ３ｂが原稿Ｐに照射され、原稿Ｐにおいて反射した光Ｂ４がミラー２９，３０，３２によって順次反射される。そして、ミラー３２で反射された光Ｂ４は、結像レンズ２２に入射し、結像レンズ２２により撮像素子２４上で結像される。撮像素子２４は、画素毎に入射光の強さに応じて光電変換を行い、これによって原稿画像に対応した画像信号（ＲＧＢ信号）を生成し、制御部（図示せず）に出力する。
【００３２】
（効果）
以上のように構成された光源装置２７ａによれば、色再現性に優れた画像を得ることができる。より詳細には、特許文献１に記載の照明装置５００では、１つの光源５０４が放射した光が導光体５０２の一端から入射して導光体５０２内を導光される。そのため、導光体５０２の一端近傍から放射される光の強度及び色度と、導光体５０２の他端近傍から放射される光の強度及び色度との間にずれが生じる。その結果、照明装置５００が用いられた画像読み取り装置では、原稿が読み取って得た画像の色再現性が低下してしまう。
【００３３】
一方、光源装置２７ａでは、筐体４４は、ＬＥＤ４０が放射した光Ｂ１を閉じ込めている。そして、筐体４４内に閉じ込められた光Ｂ１は、筐体４４内に設けられている反射面Ｓ２，Ｓ４のそれぞれにおいて全反射されることによって、導光体２８ａ，２８ｂ内をｙ軸方向の正方向側に向かって進行する。すなわち、筐体４４内に閉じ込められた光Ｂ１は、筐体４４により導光体２８ａ，２８ｂに分岐されている。この際、導光体２８ａ，２８ｂ内をｙ軸方向の正方向側に向かって進行する光Ｂ３ａ，Ｂ３ｂの強度が近づくように、反射面Ｓ２，Ｓ４を設計することによって、導光体２８ａ，２８ｂのそれぞれから放射される光Ｂ３ａ，Ｂ３ｂの強度が近づく。そして、導光体２８ａ，２８ｂの長さはそれぞれ、導光体５０２の半分の長さに相当するので、導光体２８ａ，２８ｂの両端における光Ｂ３ａ，Ｂ３ｂの強度の差は、導光体５０２の両端における光の強度の差よりも小さくなる。その結果、光源装置２７ａが用いられた画像読み取り装置１０において、色再現性に優れた画像を得ることが可能となる。
【００３４】
光源装置２７ａでは、前記のように、導光体２８ａ，２８ｂのそれぞれから原稿Ｐに照射される光Ｂ３ａ，Ｂ３ｂの強度が等しくなるように、反射面Ｓ２が入射面Ｓ１となす角度θ１（図４参照）は、０度より大きく４５度以下であることが好ましい。より詳細には、反射面Ｓ２において反射される光Ｂ３ａの強度と反射面Ｓ２を透過する光Ｂ３ｂとの強度が等しくなる角度θ１は、約４８度である。この場合、反射面Ｓ２を透過した光Ｂ３ｂが全て導光体２８ｂ内をｙ軸方向に進行すれば、導光体２８ａ，２８ｂのそれぞれから原稿Ｐに照射される光Ｂ３ａ，Ｂ３ｂの強度が等しくなる。
【００３５】
しかしながら、反射面Ｓ２を透過した光Ｂ３ｂの内の一部は、導光体２８ｂ内をｙ軸方向に進行することなく、外部に漏れ出したり筐体４４や導光体２８ｂにより吸収されたりしてしまう。そのため、反射面Ｓ２を透過する光Ｂ３ｂの強度は、反射面Ｓ２において反射される光Ｂ３ａの強度よりも大きいことが好ましい。本願発明者は、コンピュータシミュレーションを行って、角度θ１が約３０度のときに、導光体２８ａ，２８ｂのそれぞれから原稿Ｐに照射される光Ｂ３ａ，Ｂ３ｂの強度が等しくなることを求めた。ただし、該角度θ１は、導光体２８ａ，２８ｂ及び筐体４４の設計により変動する。そのため、角度θ１は、０度より大きく概ね４５度以下が好ましい。また、反射面Ｓ４が入射面Ｓ３となす角度θ２（図２参照）は、より多くの光Ｂ３ｂをｙ軸方向の正方向側に向かって進行させるために、角度θ１よりも小さいことが好ましい。
【００３６】
また、光源装置２７ａでは、光の利用効率が高い。より詳細には、ＬＥＤ４０が放射した光Ｂ１は、筐体４４内においてｘ軸方向の負方向側に向かって進行する。そして、ＬＥＤ４０及び導光体２８ａ，２８ｂは、ｘ軸方向の正方向側から負方向側に向かってこの順に並んでいる。すなわち、ＬＥＤ４０が放射した光Ｂ１の進行方向に導光体２８ａ，２８ｂが設けられている。これにより、光Ｂ１は、筐体４４の内周面において反射しなくても、導光体２８ａ，２８ｂに入射しやすくなる。その結果、光源装置２７ａでは、筐体４４の内周面における反射時に生じるロスが低減されるので、光の利用効率が高くなる。
【００３７】
また、光源装置２７ａでは、導光体２８ａ，２８ｂのｙ軸方向の負方向側の端部において、照度分布にむらが発生することが抑制される。より詳細には、ＬＥＤ４０は、光Ｂ１を拡散する。そのため、ＬＥＤ４０から放射された光Ｂ１では、ＬＥＤ４から数ｍｍ以上離れた位置において安定した照度分布が得られる。そこで、光源装置２７ａでは、ＬＥＤ４０が放射した光Ｂ１は、導光体２８ａ，２８ｂに直接に入射するのではなく、筐体４４内において閉じ込められた後に、導光体２８ａ，２８ｂに入射する。これにより、導光体２８ａ，２８ｂに入射する際には、光Ｂ１は安定した照度分布を有している。その結果、光源装置２７ａでは、導光体２８ａ，２８ｂのｙ軸方向の正方向側の端部において、照度分布にむらが発生することが抑制される。
【００３８】
（第１の変形例）
以下に、第１の変形例に係る光源装置について図面を参照しながら説明する。図５は、第１の変形例に係る光源装置２７ｂの構成図である。
【００３９】
光源装置２７ｂでは、反射面Ｓ２を透過した光Ｂ３ｂが入射面Ｓ３に入射するのではなく、ＬＥＤ４０が放射した光Ｂ１が直接に入射面Ｓ３に入射する。より詳細には、導光体２８ａのｙ軸方向の負方向側の端部には、ＬＥＤ４０と対向している入射面Ｓ１であって、筐体４４内に閉じ込められた光Ｂ１が導光体２８ａ内に入射する入射面Ｓ１、及び、ｘ軸方向に対して傾斜している反射面Ｓ２であって、入射面Ｓ１から入射した光Ｂ２ａをｙ軸方向の正方向側に向かって光Ｂ３ａとして反射する反射面Ｓ２が設けられている。また、導光体２８ｂのｙ軸方向の負方向側の端部には、ＬＥＤ４０と対向している入射面Ｓ３であって、筐体４４内に閉じ込められた光Ｂ１が導光体２８ｂ内に入射する入射面Ｓ３、及び、ｘ軸方向に対して傾斜している反射面Ｓ４であって、入射面Ｓ３から入射した光Ｂ１をｙ軸方向の正方向側に向かって光Ｂ３ｂとして反射する反射面Ｓ４が設けられている。そして、ｘ軸方向の負方向側に向かって平面視したときに、入射面Ｓ３は、入射面Ｓ１からはみ出している。
【００４０】
以上のように構成された光源装置２７ｂにおいても、光源装置２７ａと同様に、色再現性に優れた画像を得ることができる。
【００４１】
なお、光源装置２７ｂでは、導光体２８ａ，２８ｂのそれぞれから原稿Ｐに照射される光Ｂ３ａ，Ｂ３ｂの強度が等しくなるように、入射面Ｓ１，Ｓ３を設計することが好ましい。本実施形態では、ｘ軸方向から平面視したときに、入射面Ｓ３のｙ軸方向の幅の半分以上が入射面Ｓ１からはみ出していることが好ましい。本願発明者は、コンピュータシミュレーションを行って、入射面Ｓ１，Ｓ３のｙ軸方向の幅を４ｍｍとし、入射面Ｓ１のｙ軸方向の負方向側の端部と筐体４４との間の隙間の大きさＤを３ｍｍとしたときに、導光体２８ａ，２８ｂのそれぞれから原稿Ｐに照射される光Ｂ３ａ，Ｂ３ｂの強度が等しくなることを求めた。
【００４２】
また、光源装置２７ｂでは、光源装置２７ａと同様に、光の利用効率が高い。
【００４３】
また、光源装置２７ｂでは、光源装置２７ａと同様に、導光体２８ａ，２８ｂのｙ軸方向の正方向側の端部において、照度分布にむらが発生することが抑制される。
【００４４】
（第２の変形例）
以下に、第２の変形例に係る光源装置について図面を参照しながら説明する。図６は、第２の変形例に係る光源装置２７ｃの構成図である。
【００４５】
光源装置２７ｃでは、中空の筐体４４ではなく、ＰＭＭＡ等の透明樹脂部材からなる導光部材４４ａが閉じ込め部材として用いられる。導光部材４４ａは、ＬＥＤ４０が放射した光Ｂ１が入射する入射面Ｓａ、導光体２８ａのｙ軸方向の負方向側の端面Ｓ１２に対して光Ｂ３ａを出射する出射面Ｓｂ、及び、導光体２８ｂのｙ軸方向の負方向側の端面Ｓ１３に対して光Ｂ３ｂを出射する出射面Ｓｃを有している。入射面Ｓａから入射した光Ｂ１は、導光部材４４ａと導光部材４４ａの周囲の空気との境界面において全反射を繰り返すことによって、導光部材４４ａ内に閉じ込められる。
【００４６】
また、導光部材４４ａには、反射面Ｓ２，Ｓ４が設けられている。反射面Ｓ２は、導光部材４４ａの一部が切り欠かれることによって形成されたスリットＳＬのｘ軸方向の正方向側の面である。スリットＳＬは、入射面Ｓａのｘ軸方向の負方向側であって、かつ、出射面Ｓｂのｙ軸方向の負方向側に位置している。反射面Ｓ２は、光Ｂ１の一部をｙ軸方向の正方向側に全反射すると共に、光Ｂ１の内の残余の光を透過する。そして、反射面Ｓ２により全反射された光は、出射面Ｓｂ及び端面Ｓ１２を介して導光体２８ａに入射する。
【００４７】
反射面Ｓ４は、導光部材４４ａの外形がｘ軸に対して傾斜するように加工されることにより設けられている。反射面Ｓ４は、入射面Ｓａのｘ軸方向の負方向側であって、かつ、出射面Ｓｃのｙ軸方向の負方向側に位置している。反射面Ｓ４は、反射面Ｓ２を透過した光をｙ軸方向の正方向側に全反射する。反射面Ｓ４により全反射された光は、出射面Ｓｃ及び端面Ｓ１３を介して導光体２８ｂに入射する。
【００４８】
なお、反射面Ｓ２，Ｓ４がｘ軸方向に垂直な面となす角度θ１，θ２は、光源装置２７ａの角度θ１，θ２と同じであるので説明を省略する。
【００４９】
また、導光部材４４ａから外部に光が漏れることを防止するために、導光部材４４ａの外周面が反射部材により覆われていてもよい。
【００５０】
また、スリットＳＬのｙ軸方向の位置を調整することによって、導光体２８ａ，２８ｂが放射する光Ｂ３ａ，Ｂ３ｂの強度を調整することが可能である。
【００５１】
以上のように構成された光源装置２７ｃにおいても、光源装置２７ａと同様に、色再現性に優れた画像を得ることができる。
【００５２】
また、光源装置２７ｃでは、光源装置２７ａと同様に、光の利用効率が高い。
【００５３】
また、光源装置２７ｃでは、光源装置２７ａと同様に、導光体２８ａ，２８ｂのｙ軸方向の正方向側の端部において、照度分布にむらが発生することが抑制される。
【産業上の利用可能性】
【００５４】
以上のように、本発明は、光源装置に有用であり、特に、色再現性に優れた画像を得ることができる点において優れている。
【符号の説明】
【００５５】
４０  ＬＥＤ
Ｓ１，Ｓ３，Ｓａ  入射面
Ｓ１２，Ｓ１３  端面
Ｓ２，Ｓ４  反射面
Ｓｂ，Ｓｃ  出射面
ＳＬ  スリット
１０  画像読み取り装置
１２  本体
１４  原稿カバー
１６  プラテンガラス
１８，２０  スライダーユニット
２２  結像レンズ
２４  撮像素子
２７ａ〜２７ｃ  光源装置
２８ａ，２８ｂ  導光体
２９，３０，３２  ミラー
４２  基板
４４  筐体
４４ａ  導光部材
【図１】
0005464175.tif 000002
【図２】
0005464175.tif 000003
【図３】
0005464175.tif 000004
【図４】
0005464175.tif 000005
【図５】
0005464175.tif 000006
【図６】
0005464175.tif 000007
【図７】
0005464175.tif 000008